(57)【要約】【課題】  冷感効果、防臭効果及び低温安定性に優れる衣類用冷感付与剤を提供すること。【解決手段】  ０．５質量％以上６質量％未満のｌ−メントール及びｌ−メントール誘導体からなる群から選ばれる少なくとも１種の冷感成分と、２０質量％以上６０質量％未満の炭素数２〜３の飽和一価アルコールと、３５質量％以上７５質量％未満の水と、０．１質量％以上６質量％未満の界面活性剤と、０．０００５質量％以上１．５質量％未満のキレート剤と、を含有する衣類用冷感付与剤。【選択図】なし【特許請求の範囲】
【請求項１】
０．５質量％以上６質量％未満のｌ−メントール及びｌ−メントール誘導体からなる群から選ばれる少なくとも１種の冷感成分と、
２０質量％以上６０質量％未満の炭素数２〜３の飽和一価アルコールと、
３５質量％以上７５質量％未満の水と、
０．１質量％以上６質量％未満の界面活性剤と、
０．０００５質量％以上１．５質量％未満のキレート剤と、
を含有する衣類用冷感付与剤。
【請求項２】
前記界面活性剤がノニオン界面活性剤及びカチオン界面活性剤を含む、請求項１に記載の衣類用冷感付与剤。
【発明の詳細な説明】
【技術分野】
【０００１】
本発明は、衣類用冷感付与剤に関する。
【背景技術】
【０００２】
近年、省エネルギー化や熱中症対策等の観点から、夏場に涼を得るための手段が種々検討されている。その一つとして、衣類に適用することにより冷感を付与することが可能な衣類用冷感付与剤が挙げられる。衣類用冷感付与剤は、肌に直接適用する冷感付与剤とは異なり、服を着たまま適用することが可能であり、利便性が高い。また、肌に直接適用することにより生じ得る肌荒れ等の問題を抑制することができる等といった点でも優れる。
【０００３】
このような衣類用冷感付与剤として、特許文献１では、所定量のメントールとエタノールとを含有する衣類用冷感付与剤が提案されている。
【先行技術文献】
【特許文献】
【０００４】
【特許文献１】特開２０１０−８４２６９号公報
【発明の概要】
【発明が解決しようとする課題】
【０００５】
ところで、衣類用冷感付与剤は、より冷感効果に優れたものであることが望ましい。また、衣類用冷感付与剤は、暑い時に用いられるものであり、冷感効果に加えて、防臭効果を備えるものであることが望ましい。さらに、衣類用冷感付与剤は、主に夏場に販売される製品であるため、売れ残った場合に冬場の寒い時期でも安定して保管が可能な低温安定性を備えることが望ましい。しかしながら、特許文献１を含む従来の衣類用冷感付与剤は、これらの性質を兼ね備えるものではなかった。
【０００６】
そこで本発明は、冷感効果、防臭効果及び低温安定性に優れる衣類用冷感付与剤を提供することを目的とする。
【課題を解決するための手段】
【０００７】
上記事情に鑑み、本発明者等は鋭意検討を重ねた結果、以下の［１］及び［２］に示す発明を完成させた。
［１］  ０．５質量％以上６質量％未満のｌ−メントール及びｌ−メントール誘導体からなる群から選ばれる少なくとも１種の冷感成分と、２０質量％以上６０質量％未満の炭素数２〜３の飽和一価アルコールと、３５質量％以上７５質量％未満の水と、０．１質量％以上６質量％未満の界面活性剤と、０．０００５質量％以上１．５質量％未満のキレート剤と、を含有する衣類用冷感付与剤。
［２］  上記界面活性剤がノニオン界面活性剤及びカチオン界面活性剤を含む、［１］に記載の衣類用冷感付与剤。
【発明の効果】
【０００８】
本発明によれば、冷感効果、防臭効果及び低温安定性に優れる衣類用冷感付与剤を提供することができる。
【発明を実施するための形態】
【０００９】
以下、本発明の好適な実施形態について詳細に説明する。ただし、本発明は以下の実施形態に限定されるものではない。なお、明細書中、「ＰＯＥ」は「ポリオキシエチレン」を、「ＰＯＰ」は「ポリオキシプロピレン」をそれぞれ示す。
【００１０】
本実施形態の衣類用冷感付与剤は、ｌ−メントール及びｌ−メントール誘導体からなる群から選ばれる少なくとも１種の冷感成分（以下、「（Ａ）冷感成分」ともいう。）と、炭素数２〜３の飽和一価アルコール（以下、「（Ｂ）飽和一価アルコール」ともいう。）と、水（以下、「（Ｃ）水」ともいう。）と、界面活性剤（以下、「（Ｄ）界面活性剤」ともいう。）と、キレート剤（以下、「（Ｅ）キレート剤」ともいう。）と、を含有する。以下、各成分について詳述する。
【００１１】
（Ａ）冷感成分としては、ｌ−メントール又はｌ−メントール誘導体を１種単独で用いても、２種以上を組み合わせて用いてもよい。ｌ−メントール誘導体としては、例えば、ｌ−メントールの水酸基に有機酸がエステル結合したエステル誘導体や、ｌ−メントールの水酸基に多価アルコールがエーテル結合したエーテル誘導体等が挙げられ、その具体例としては、乳酸メンチル、酢酸メンチル、メントキシプロパン−１，２−ジオール、ピロリドンカルボン酸メンチル、メンチルグルコシド、シュウ酸メンチルエチルアミド、メントングリセリンアセタール、２−ヒドロキシメチルメントール、３−ヒドロキシ酪酸メンチル、２−メントキシテトラヒドロピラン、２−メントキシテトラヒドロフラン等が挙げられる。（Ａ）冷感成分としては、ｌ−メントール又はｌ−メントールの水酸基に有機酸がエステル結合したエステル誘導体であると好ましく、ｌ−メントール又は乳酸メンチルであるとより好ましい。
【００１２】
ｌ−メントール又はｌ−メントール誘導体としては、単離されたものを用いてもよく、１−メントールを含む精油（例えばハッカ油、スペアミント油、ペパーミント油、ユーカリ油等）を用いてもよいが、単離されたものを用いることが好ましい。
【００１３】
（Ａ）冷感成分の含有量は、十分な冷感を付与し、且つ皮膚への過度な刺激を避ける観点から、衣類用冷感付与剤全量を基準として、０．５質量％以上６質量％未満であり、好ましくは０．７５質量％以上５．５質量％以下であり、より好ましくは１質量％以上５質量％以下である。
【００１４】
（Ｂ）飽和一価アルコールの具体例としてはエタノール、１−プロパノール又は２−プロパノール（イソプロピルアルコール）が挙げられる。（Ｂ）飽和一価アルコールとしては、純度が高いものを用いることが好ましく、例えば純度９５％以上であると好ましい。
【００１５】
（Ｂ）飽和一価アルコールの含有量は、冷感成分溶解安定性の観点から、衣類用冷感付与剤全量を基準として、２０質量％以上６０質量％未満であり、好ましくは２５質量％以上５５質量％以下であり、より好ましくは３０質量％以上５０質量％以下である。
【００１６】
（Ｃ）水としては、イオン等の不純分が少ないものであると好ましく、イオン交換水を好適に用いることができる。
【００１７】
（Ｃ）水の含有量は、キレート剤溶解安定性の観点から、衣類用冷感付与剤全量を基準として、３５質量％以上７５質量％未満であり、好ましくは３８質量％以上７０質量％以下であり、より好ましくは４１質量％以上６６質量％以下である。
【００１８】
（Ｄ）界面活性剤は、ノニオン界面活性剤、カチオン界面活性剤アニオン界面活性剤又は両性界面活性剤のいずれであってもよいが、ノニオン界面活性剤及びカチオン界面活性剤の少なくとも一方を含むことが好ましく、ノニオン界面活性剤及びカチオン界面活性剤を含むことがより好ましい。
【００１９】
ノニオン界面活性剤としては、例えば、ＰＯＥ型ノニオン界面活性剤、ポリオール型ノニオン界面活性剤、ブロックポリマー型ノニオン界面活性剤、含窒素型ノニオン界面活性剤等が挙げられ、ＰＯＥ型ノニオン界面活性剤が好ましい。ノニオン界面活性剤の具体例としては、ＰＯＥ−ヒマシ油硬化ヒマシ油誘導体（例えば、ＰＯＥ−硬化ヒマシ油、ＰＯＥ−ヒマシ油、ＰＯＥ−硬化ヒマシ油モノイソステアレート、ＰＯＥ−硬化ヒマシ油トリイソステアレート、ＰＯＥ−硬化ヒマシ油マレイン酸、ＰＯＥ−硬化ヒマシ油モノピログルタミン酸モノイソステアリン酸ジエステル等）、ＰＯＥ−アルキルエーテル類（例えば、ＰＯＥ−ラウリルエーテル、ＰＯＥ−オレイルエーテル、ＰＯＥ−ステアリルエーテル、ＰＯＥ−イソステアリルエーテル、ＰＯＥ−２−オクチルドデシルエーテル等）、ＰＯＥ・ＰＯＰ−アルキルエーテル類（例えば、ＰＯＥ・ＰＯＰ−セチルエーテル、ＰＯＥ・ＰＯＰ−２−デシルテトラデシルエーテル、ＰＯＥ・ＰＯＰ−モノブチルエーテル、ＰＯＥ・ＰＯＰ−水添ラノリン、ＰＯＥ・ＰＯＰ−グリセリンエーテル等）、ＰＯＥ−ソルビタン脂肪酸エステル類（例えば、ＰＯＥ−ソルビタンモノオレエート、ＰＯＥ−ソルビタンモノステアレート、ＰＯＥ−ソルビタンテトラオレエート等）、プルロニック型類、ＰＯＥ−脂肪酸エステル類（例えば、ＰＯＥ−ジステアレート、ＰＯＥ−モノジオレエート等）、ＰＯＥ−グリセリン脂肪酸エステル類（例えば、ＰＯＥ−グリセリンモノステアレート、ＰＯＥ−グリセリンモノイソステアレート、ＰＯＥ−グリセリントリイソステアレート等）、ショ糖脂肪酸エステル、アルキルグリコシド、ＰＯＥ−アルキルアミン等が挙げられ、ＰＯＥ−ヒマシ油硬化ヒマシ油誘導体が好ましい。
【００２０】
カチオン界面活性剤としては、例えば、アルキルトリメチルアンモニウム塩（例えば、塩化ステアリルトリメチルアンモニウム、塩化ラウリルトリメチルアンモニウム等）；ジアルキルジメチルアンモニウム塩（例えば、塩化ジステアリルジメチルアンモニウム）；アルキルヒドロキシアルキルジメチルアンモニウム塩（例えば、塩化ラウリルヒドロキシエチルジメチルアンモニウム等）、アルキルピリジニウム塩（例えば、塩化セチルピリジニウム等）；アルキルアミン塩；塩化ベンザルコニウム；塩化ベンゼトニウム等が挙げられ、アルキルヒドロキシアルキルジメチルアンモニウム塩が好ましい。
【００２１】
（Ｄ）界面活性剤の含有量は、冷感付与性及び低温安定性をより向上させる観点から、衣類用冷感付与剤全量を基準として、０．１質量％以上６質量％未満であり、好ましくは０．５質量％以上５．５質量％以下であり、より好ましくは１質量％以上５質量％以下である。
【００２２】
（Ｄ）界面活性剤がノニオン界面活性剤及びカチオン界面活性剤を含む場合の、ノニオン界面活性剤に対するカチオン界面活性剤の質量比（カチオン界面活性剤の質量／ノニオン界面活性剤の質量）は、例えば、０．０１〜１００とすることができ、好ましくは０．０５〜５０であり、より好ましくは０．１〜１０である。
【００２３】
（Ｅ）キレート剤は、金属イオンのキレート能を有する化合物である。（Ｅ）キレート剤としては、例えば、アミノカルボン酸塩系キレート剤（例えば、エチレンジアミン四酢酸塩、ニトリロ三酢酸塩、ジエチレントリアミン五酢酸塩、ヒドロキシエチルエチレンジアミン四酢酸塩、トリエチレンテトラアミン六酢酸塩、１，３−プロパンジアミン四酢酸塩、１，３−ジアミノ−２−ヒドロキシプロパン四酢酸塩、ヒドロキシエチルイミノ二酢酸塩、ジヒドロキシエチルグリシン、グリコールエーテルジアミン四酢酸塩、ジカルボキシメチルグルタミン酸塩、エチレンジアミン二コハク酸塩、Ｌ−アスパラギン酸二酢酸塩、ヒドロキシイミノジコハク酸塩、メチルグリシン二酢酸塩等）、ホスホン酸系キレート剤（例えば、ヒドロキシエタンジホスホン酸、ニトリロトリス（メチレンホスホン酸塩）、ホスホノブタントリカルボン酸塩、エチレンジアミンテトラメチレンホスホン酸塩等）、フィチン酸、ポリアミノ酸系キレート剤（例えば、ポリアスパラギン酸、ポリグルタミン酸等）、リン酸系キレート剤（ポリリン酸塩、メタリン酸塩、リン酸塩等）等が挙げられ、アミノカルボン酸塩系キレート剤が好ましい。
なお、アミノカルボン酸塩系キレート剤は、アミノカルボン酸を配合した後に、系中で水酸化ナトリウムやアミン等のアルカリを添加して部分中和することにより生成したものであってもよい。
【００２４】
（Ｅ）キレート剤の含有量は、防臭効果をより向上させる観点から、衣類用冷感付与剤全量を基準として、０．０００５質量％以上１．５質量％未満であり、好ましくは０．０００７５質量％以上１．２５質量％以下であり、より好ましくは０．００１質量％以上１質量％以下である。
【００２５】
本実施形態の衣類用冷感付与剤は、上述の成分以外のその他の成分を含有していてもよい。その具体例としては、（Ａ）冷感成分以外の冷感剤、油性成分、保湿剤、高級アルコール、天然及び合成高分子、水溶性及び油溶性高分子、紫外線吸収剤、血行促進剤、各種抽出液、無機及び有機顔料、無機及び有機粘土鉱物、金属石鹸処理又はシリコーン類で処理された無機及び有機顔料、有機染料等の色剤、防腐剤、酸化防止剤、色素、増粘剤、ｐＨ調整剤、香料、制汗剤、殺菌剤、皮膚賦活剤、カチオン性金属イオン、消臭剤、除菌剤、その他の薬剤等が挙げられる。
【００２６】
本実施形態の衣類用冷感付与剤は、上述の成分を混合することによって調製することができる。例えば、（Ａ）冷感成分等の油溶性成分を（Ｂ）飽和一価アルコールに、（Ｅ）キレート剤等の水溶性成分を（Ｃ）水に、それぞれ溶解させた後に、これらを混ぜ合わせることによって衣類用冷感付与剤を調製することができる。
【００２７】
本実施形態の衣類用冷感付与剤は、噴霧により衣類に適用可能な剤形であると好ましい。噴霧により衣類に適用可能な剤形としては、例えばエアゾールスプレータイプ、ミストスプレータイプ、ポンプスプレータイプ等が挙げられ、布への浸透性や対象物が限定できる観点から、ミストスプレータイプであることが好ましい。
【００２８】
本実施形態の衣類用冷感付与剤は、例えばワイシャツ、Ｔシャツ、肌着等の衣類に適量噴霧することにより適用することができる。具体的な噴霧量としては、例えば０．２５〜２．５ｍｌ／ｃｍ２である。
【実施例】
【００２９】
以下、実施例に基づいて本発明を更に具体的に説明するが、本発明は実施例に何ら限定されるものではない。
【００３０】
（実施例１〜４、比較例１、２）
以下の（１）〜（４）に示す手順に従って、表１に示す組成比（単位：質量％）で各成分を配合し、実施例及び比較例の衣類用冷感付与剤を調製した。
（１）  （Ａ）冷感成分と、非イオン界面活性剤であるポリオキシエチレン硬化ヒマシ油（６０Ｅ．Ｏ．）とを、室温にて（Ｂ）飽和一価アルコールに溶解させて、アルコール溶液を得る。
（２）  （１）で得られたアルコール溶液に、（Ｃ）水の一部を投入する。
（３）  カチオン界面活性剤である塩化アルキルジメチルヒドロキシエチルアンモニウム（アルキル基の炭素数は１２〜１４）と、（Ｅ）キレート剤と、ｐＨ調整剤とを、室温にて、（２）で残した（Ｃ）水の残部に溶解させて、水溶液を得る。
（４）  （２）で得られた溶液に、（３）で得られた水溶液を投入することにより、衣類用冷感付与剤を得る。
【００３１】
得られた衣類用冷感付与剤について、以下の評価を行った。その結果を表１に示す。
【００３２】
［評価］
（冷感効果）
実施例及び比較例で得られた各試料（衣類用冷感付与剤）と、各試料における（Ｄ）界面活性剤、（Ｅ）キレート剤及びｐＨ調整剤を同量の（Ｂ）飽和一価アルコールに置換した他は各試料と同様の組成を有する各対照とを準備し、試料及び対照による冷感効果の差を比較評価した。
具体的には、ミストスプレーボトルに試料又は対象を充填し、一辺が４ｃｍの布にそれぞれを噴霧（約０．１ｍｌ／ｃｍ２）した試験片をパネラー１０人（年齢２０代及び３０代；女性５名及び男性５名）の左右前腕内側に貼付した。各パネラーが試料と対照による冷感の差を以下の基準で点数評価し、パネラー１０人の合計点数を冷感効果として示した。
対照より冷感を感じた      ：＋１点
対照と差がなかった        ：０点
対照より冷感を感じなかった：−１点
【００３３】
（防臭効果）
ミストスプレーボトルに充填した実施例及び比較例で得られた各試料を無加工布（ＪＩＳ  Ｌ  ０８０３  染色堅ろう度試験用添付白布  呼び番号３−１）に噴霧し、乾燥した布について、ＪＩＳ  Ｌ  １９０２  菌液吸収法に準じて試験を行った。抗菌活性値が２．２以上である場合を"○"、抗菌活性値が２．２未満である場合を"×"として評価した。
【００３４】
（低温安定性）
実施例及び比較例で得られた各試料を、−５℃で２８日間保管した。結晶析出が確認されなかった場合を"○"、結晶析出が確認された場合を"×"として評価した。
【００３５】
【表１】
2020165005.tif 000002
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
０．５質量％以上６質量％未満のｌ−メントール及びｌ−メントール誘導体からなる群から選ばれる少なくとも１種の冷感成分と、
２０質量％以上６０質量％未満の炭素数２〜３の飽和一価アルコールと、
３５質量％以上７５質量％未満の水と、
０．１質量％以上６質量％未満の界面活性剤と、
０．０００５質量％以上１．５質量％未満のキレート剤と、
を含有する衣類用冷感付与剤（ただし、ラベンダー精油を含むものを除く。）。
【請求項２】
前記界面活性剤がノニオン界面活性剤及びカチオン界面活性剤を含む、請求項１に記載の衣類用冷感付与剤。